(57)【特許請求の範囲】
【請求項１】
医療デバイス組立体であって、
支持部分及びアーム部分を有するインプラントと、
拡張器と、
前記拡張器に結合されたスリーブと、
前記インプラントのアーム部分に結合された第１の部分及び前記拡張器に結合された第２の部分を有し、且つ、前記スリーブ内で前記アーム部分に沿って外側ループを形成する第１の縫合糸と、を含み、前記外側ループは、第１のストランド及び第２のストランドを有し、
更に、前記インプラントのアーム部分に結合された第１の部分及び前記拡張器に結合された第２の部分を有し、且つ、前記スリーブ内で前記アーム部分に沿って内側ループを形成する第２の縫合糸を含み、前記内側ループは、前記外側ループの第１のストランドと第２のストランドの間に配置される、医療デバイス組立体。
【請求項２】
前記スリーブは、空洞を有し、
前記インプラントのアーム部分の少なくとも一部分は、前記スリーブの空洞内に配置される、請求項１に記載の医療デバイス組立体。
【請求項３】
前記スリーブは、空洞を有し、
前記インプラントのアーム部分の少なくとも一部分は、前記スリーブの空洞内に配置され、前記第１の縫合糸の少なくとも一部分は、前記スリーブの空洞内に配置され、前記第２の縫合糸の少なくとも一部分は、前記スリーブの空洞内に配置される、請求項１に記載の医療デバイス組立体。
【請求項４】
更に、前記拡張器に結合され、前記医療デバイス組立体を配送デバイスに連結させるように構成された連結部材を含む、請求項１に記載の医療デバイス組立体。
【請求項５】
前記第１の縫合糸の第１の部分は、前記アーム部分の第１の位置で前記インプラントのアーム部分に結合され、前記第２の縫合糸の第１の部分は、前記第１の位置と異なる前記アーム部分の第２の位置で前記インプラントのアーム部分に結合される、請求項１に記載の医療デバイス組立体。
【請求項６】
前記第１の縫合糸の第１の部分は、前記アーム部分の第１の位置で前記インプラントのアーム部分に結合され、前記第２の縫合糸の第１の部分は、前記第１の位置と異なる前記アーム部分の第２の位置で前記インプラントのアーム部分に結合され、前記第１の位置は、前記第２の位置と前記インプラントの支持部分との間に配置される、請求項１に記載の医療デバイス組立体。
【請求項７】
前記第１の縫合糸の外側ループの一部分は、前記インプラントの第１の位置で前記インプラントのアーム部分の一部分の中を通して縫われ、前記第２の縫合糸の内側ループの一部分は、前記インプラントの第２の位置で前記インプラントのアーム部分の一部分の中を通して縫われる、請求項１に記載の医療デバイス組立体。
【請求項８】
前記第２の縫合糸の両端部は、前記拡張器の内壁に結合され、第１の縫合糸の両端部は、前記前拡張器の内壁に結合される、請求項１に記載の医療デバイス組立体。
【請求項９】
前記第１の縫合糸の少なくとも一部分は、前記インプラントのアーム部分の一部分の中を通して縫われ、前記第２の縫合糸の少なくとも一部分は、前記インプラントのアーム部分の長手方向軸線に沿って縫われる、請求項１に記載の医療デバイス組立体。
【請求項１０】
前記インプラントのアーム部分は、第１のアーム部分であり、前記拡張器は、第１の拡張器であり、前記インプラントは、第２のアーム部分を含み、
前記医療デバイス組立体は、更に、
第２の拡張器と、
前記インプラントのアーム部分に結合された第１の部分及び前記拡張器に結合された第２の部分を有する第３の縫合糸と、
前記インプラントのアーム部分に結合された第１の部分及び前記拡張器に結合された第２の部分を有する第４の縫合糸と、を含む請求項１に記載の医療デバイス組立体。
【請求項１１】
医療デバイス組立体であって、
支持部分及びアーム部分を有するインプラントと、
拡張器と、
前記拡張器に結合されたスリーブと、
前記インプラントのアーム部分に結合された第１の部分及び前記拡張器に結合された第２の部分を有し、且つ、前記スリーブ内で前記アーム部分に沿って外側ループを形成する第１の縫合糸と、を含み、前記外側ループは、第１のストランド及び第２のストランドを有し、
更に、前記インプラントのアーム部分に結合された第１の部分及び前記拡張器に合された第２の部分を有し、且つ、前記スリーブの一部分及び前記インプラントのアーム部分の一部分を通して縫われ、且つ、前記スリーブ内で前記アーム部分に沿って内側ループを形成する第２の縫合糸を含み、前記内側ループは、前記外側ループの第１のストランドと第２のストランドの間に配置される、医療デバイス組立体。
【請求項１２】
前記スリーブは、空洞を有し、前記インプラントのアーム部分の少なくとも一部分は、前記スリーブの空洞内に配置される、請求項１１に記載の医療デバイス組立体。
【請求項１３】
前記スリーブは、空洞を有し、前記インプラントのアーム部分の少なくとも一部分は、前記スリーブの空洞内に配置され、前記第１の縫合糸の少なくとも一部分は、前記スリーブの空洞内に配置される、請求項１１に記載の医療デバイス組立体。
【請求項１４】
前記第１の縫合糸の第１の端部分は、前記拡張器の内壁に結合され、前記第１の縫合糸の第２の端部分は、前記拡張器の内壁に結合され、前記第１の縫合糸は、前記外側ループを形成するために、前記アーム部分の第１の位置で戻されループを形成し、
前記第２の縫合糸の第１の端部分は、前記拡張器の内壁に結合され、前記第２の縫合糸の第２の端部分は、前記拡張器の内壁に結合され、前記第２の縫合糸は、前記内側ループを形成するために、前記アーム部分の第２の位置で戻されループを形成する、請求項１１に記載の医療デバイス組立体。
【請求項１５】
前記第１の縫合糸の少なくとも一部分は、前記インプラントのアーム部分の一部分の中を通して縫われる、請求項１１に記載の医療デバイス組立体。
【発明の詳細な説明】
【技術分野】
【０００１】
〔関連出願への相互参照〕
本出願は、「インプラントを配送するためのデバイス及び方法」という名称の２０１４年１０月１４日出願の米国非仮特許出願第１４／５１４，０５２号に対する優先権を主張し、かつその継続出願であり、これは、次に、「インプラントを配送するためのデバイス及び方法」という名称の２０１３年１０月１７日出願の米国仮特許出願第６１／８９２，０５７号に対する優先権を主張するものであり、これらの両方は、その全体が本明細書に引用によって組み込まれている。
【０００２】
本出願はまた、２０１３年１０月１７日出願の米国仮特許出願第６１／８９２，０５７号に対する優先権を主張するものであり、その開示は、その全体が本明細書に引用によって組み込まれている。
【０００３】
いくつかの実施形態は、一般的に医療デバイスに関し、より具体的には、インプラントと様々な骨盤機能不全を処置するために患者の骨盤領域内にインプラントを配送する方法とに関する。
【背景技術】
【０００４】
尿失禁を処置する手順を含み、かつ子宮脱、膀胱脱、直腸ヘルニア、及び膣円蓋脱出のような様々な脱出症を矯正する様々な医療手順が、様々な女性骨盤機能不全を処置するために行われる。
【０００５】
女性は、多くの場合、年齢又は他のファクタにより膣脱を体験する。例えば、女性は、膀胱脱、直腸ヘルニア、及び／又は子宮脱を体験する場合がある。膀胱脱は、膣の中に膀胱が出っ張る時に起こり、直腸ヘルニアは、膣の中に直腸が出っ張る時に起こる。子宮脱は、子宮が膣内に下降する時に起こる。腸ヘルニア（小腸脱出）はまた、小腸が膣の上部壁を通して押す時に起こる可能性がある。子宮脱及び膀胱脱、又は子宮脱及び直腸ヘルニア、又はそれらの他の組合せが同時に起こることは比較的一般的である。異なるタイプの脱出が比較的急速な連続で起こることも一般的である。
【発明の概要】
【発明が解決しようとする課題】
【０００６】
一部の処置は、支持又は懸架のための縫合手順又はインプラントの使用を含む。子宮脱は、多くの場合に、子宮摘出術に続いて膣円蓋懸架で処置される。様々なデバイス及び手順を使用して骨盤領域内の様々な異なる解剖学的構造内に骨盤インプラントが配送されて固定される。インプラントは、１又は２以上の膣切開部を通して及び／又は患者内の外部切開部（腹部切開部のような）を通して骨盤領域に配送することができる。一部のインプラントは、アーム部分のサイズ、形状、材料、個数、及び位置を含む多くの方法で、かつそれらが骨盤領域内に配送されて置かれる方法で異なっている。例えば、様々なインプラントは、ある一定の要素間に結合部又はタック溶接部を含み、医師は、インプラントを骨盤領域内に置きながらそれらの結合部又はタック溶接部を壊さなければならない。しかし、一部の場合では、そのような結合部又はタック溶接部の破壊は、必ずしも容易ではなく、かつ必ずしも再現可能な結果を有するとは限らない。一部の場合では、結合部又はタック溶接部の破壊は、周囲組織に損傷をもたらす場合がある。すなわち、インプラントが、結合部又はタック溶接部を使用せずに滑らかに解除され、それによって患者の身体へ又は埋込み中のインプラントへの損傷を減少又は防止することができるように、骨盤インプラント及びそのようなインプラントに関連付けられた配送工程の強化を提供することが望ましいと考えられる。
【課題を解決するための手段】
【０００７】
実施形態において、医療デバイス組立体は、支持部分とアーム部分とを有するインプラントを含む。医療デバイス組立体は、拡張器、第１の縫合糸、及び第２の縫合糸を更に含む。第１の縫合糸は、インプラントのアーム部分に結合された第１の部分と、拡張器に結合された第２の部分とを有する。第２の縫合糸も、インプラントのアーム部分に結合された第１の部分と、拡張器に結合された第２の部分とを有する。医療デバイス組立体は、拡張器に結合されたスリーブを更に含む。スリーブは、空洞を形成し、インプラントのアーム部分の少なくとも一部分は、スリーブによって形成された空洞内に配置される。
【０００８】
別の実施形態において、医療デバイス組立体は、支持部分とアーム部分とを有するインプラントを含む。医療デバイス組立体は、拡張器、第１の縫合糸、及び第２の縫合糸を更に含む。第１の縫合糸は、インプラントのアーム部分に結合された第１の部分と、拡張器に結合された第２の部分とを有する。第２の縫合糸も、インプラントのアーム部分に結合された第１の部分と、拡張器に結合された第２の部分とを有する。医療デバイス組立体は、拡張器に結合されたスリーブを更に含む。スリーブは、空洞を形成し、インプラントのアーム部分の少なくとも一部分は、スリーブによって形成された空洞内に配置される。第２の縫合糸は、スリーブの一部分及びインプラントのアーム部分の一部分を通して縫われる。
【０００９】
更に別の実施形態において、インプラントを患者の身体内に置く方法を開示する。本方法は、患者の身体の中に組立体を組立体の第１の部分が患者の身体内に配置され、かつ組立体の第２の部分が患者の身体外に配置されるように挿入する段階を含む。組立体は、支持部分及びアーム部分を有するインプラントと、拡張器と、インプラントのアーム部分に結合された第１の部分及び拡張器に結合された第２の部分を有する第１の縫合糸と、インプラントのアーム部分に結合された第１の部分及び拡張器に結合された第２の部分を有する第２の縫合糸とを含む。第１の縫合糸は、ループを形成し、第１の縫合糸の少なくとも一部分は、インプラントのアーム部分の一部分を通して縫われる。本方法は、インプラントの少なくとも一部分が患者の身体内に残るようにインプラントから拡張器を分離するために、第１の縫合糸を切断する段階と、次に第２の縫合糸を切断する段階とを更に含む。
【図面の簡単な説明】
【００１０】
【図１】本発明の一実施形態による医療デバイス組立体の概略図である。
【図２】本発明の一実施形態による医療デバイス組立体の平面図である。
【図３Ａ】図２の医療デバイス組立体の一部分の平面図である。
【図３Ｂ】本発明の別の実施形態による医療デバイス組立体の一部分の平面図である。
【図４】患者の身体内に医療デバイス組立体を置くための配送ツールの斜視図である。
【図５】患者の身体内に医療デバイス組立体を置く配送ツールの概略図である。
【図６】本発明の一実施形態による医療デバイス組立体の一部分の斜視図である。
【図７】本発明の一実施形態による医療デバイス組立体の一部分の平面図である。
【図８】本発明の一実施形態による医療デバイス組立体の一部分の平面図である。
【図９】本発明の一実施形態による医療デバイス組立体の一部分の平面図である。
【図１０】図９の医療デバイス組立体の部分の側面図である。
【図１１】本発明の一実施形態によるインプラントの平面図である。
【図１２】本発明の一実施形態により患者の身体内にインプラントを置く方法の流れ図である。
【発明を実施するための形態】
【００１１】
いくつかの実施形態において、医療デバイス組立体は、インプラント及び拡張器を含む。インプラントは、支持部分と支持部分から延びるアーム部分とを有する。支持部分は、患者の身体の一部分を支持するように構成される。アーム部分は、患者組織の中に挿入されるように構成される。医療デバイス組立体は、インプラントのアーム部分に結合された第１の部分と拡張器に結合された第２の部分とを有する第１の縫合糸及び第２の縫合糸を更に含む。拡張器に結合されたスリーブは、空洞を定め、インプラントのアーム部分の少なくとも一部分は、スリーブによって形成された空洞内に配置される。スリーブは、患者の身体内でインプラントの挿入を容易にする。第１の縫合糸及び第２の縫合糸は、スリーブ内でアーム部分を定位置に維持し、患者の身体内でインプラントのより滑らかな配送を可能にする。
【００１２】
いくつかの実施形態において、医療デバイス組立体は、支持部分とアーム部分とを有するインプラントと、拡張器と、拡張器に結合されたスリーブと、インプラントのアーム部分に結合された第１の部分及び拡張器に結合された第２の部分を有する第１の縫合糸と、インプラントのアーム部分に結合された第１の部分及び拡張器に結合された第２の部分を有する第２の縫合糸とを含む。第２の縫合糸は、スリーブの一部分及びインプラントのアーム部分の一部分を通して縫われる。スリーブは、空洞を形成する。インプラントのアーム部分の少なくとも一部分は、スリーブによって形成された空洞内に配置される。第１の縫合糸の少なくとも一部分は、スリーブによって形成された空洞内に配置される。
【００１３】
いくつかの実施形態は、患者の身体内にインプラントを置く方法に関する。本方法は、患者の身体の中に組立体を組立体の第１の部分が患者の身体内に配置され、かつ組立体の第２の部分が患者の身体外に配置されるように挿入する段階を含む。組立体は、支持部分とアーム部分とを有するインプラントと、拡張器と、インプラントのアーム部分に結合された第１の部分及び拡張器に結合された第２の部分を有する第１の縫合糸と、インプラントのアーム部分に結合された第１の部分及び拡張器に結合された第２の部分を有する第２の縫合糸とを含む。その後に、本方法は、第１の縫合糸を切断する段階と第２の縫合糸を切断する段階を含む。拡張器は、次に、インプラントの少なくとも一部分が患者の身体内に残るようにインプラントから分離される。
【００１４】
本明細書に使用される時に、用語近位部分又は近位端は、医療処置を行う時に医療専門家（例えば、医師）に最も近いデバイスのそれぞれ部分又は端部を指す。用語遠位部分又は遠位端は、医療処置中に医師から最も遠いデバイスのそれぞれ部分又は端部を指す。例えば、最初に患者の身体の内側に挿入されたインプラント又はスリーブの端部は、インプラント又はスリーブの遠位端であると考えられるが、最後に患者の身体に入るインプラント又はスリーブの端部は、医療デバイスの近位端であると考えられる。
【００１５】
インプラントは、実施形態により、例えば、膣切開部を通して埋込むことができる。インプラントを配備する手順は、前部膣切開のような単一膣切開を含むことができる。インプラントは、様々な異なる配送デバイスを使用して患者の骨盤領域に配送することができ、本明細書ではそれらの一部の例のみを説明する。様々な配送補助具も説明され、それらの一部は、インプラントの一部として含むことができ（例えば、組み立てた状態で医師に提供され）、また、それらの一部は、埋込み直前にインプラントに結合又は連結させることができる。そのような配送補助具は、典型的には、インプラントの１又は２以上のアーム部分を望ましい組織固定位置に置いた後に取出され、アーム部分を組織と係合してインプラントの支持部分を支持したままに残す。例えば、スリーブ組立体は、組織を通して仙棘靭帯又は骨盤筋膜腱弓のような体内位置（すなわち、患者の身体内）にインプラント又はインプラントのアーム部分を誘導するのに使用することができる。他の実施形態において、スリーブ組立体は、閉鎖膜又は閉鎖筋を通してかつ患者内の外部切開部を通って出るような組織を通して体外位置（患者の身体外）までインプラント又はインプラントのアーム部分を誘導するのに使用することができる。
【００１６】
図１は、１つの実施形態による医療デバイス組立体１００の概略図である。医療デバイス組立体１００は、インプラント１０２及び拡張器１０４を含む。インプラント１０２は、支持部分１０６及びアーム部分１０８を含む。医療デバイス組立体１００は、アーム部分１０８に結合された第１の部分と拡張器１０４に結合された第２の部分とを有する第１の縫合糸１１０を更に含む。医療デバイス組立体１００はまた、アーム部分１０８に結合された第１の部分と拡張器１０４に結合された第２の部分とを有する第２の縫合糸１１２を含む。１つの実施形態において、第１の縫合糸の第１の部分は、第１の位置でインプラントのアーム部分に結合され、第２の縫合糸の第１の部分は、第１の位置と異なる第２の位置でインプラントのアーム部分に結合される。
【００１７】
スリーブ１１４は、拡張器１０４に結合され、アーム部分１０８の少なくとも一部分は、スリーブ１１４によって定められる空洞内に配置される。第１の縫合糸１１０及び第２の縫合糸１１２の少なくとも一部分は、スリーブ１１４の空洞内に配置される。医療デバイス組立体１００は、拡張器１０４に結合された連結部材１１６を更に含む。連結部材１１６は、医療デバイス組立体１００を配送デバイスのようなデバイスに連結させるように構成される。配送デバイスは、患者の身体内へのインプラント１０２の埋込みを容易にするのを補助するように構成された他のデバイスの任意の種類の針とすることができる。配送デバイスの例は、以下の図４と共により詳細に説明する。
【００１８】
支持部分１０６は、患者の身体内に置かれるように構成され、かつ人体の一部分を支持するように構成される。支持部分１０６は、特定のインプラントの使用目的に応じて様々な異なる形状、サイズ、及び構成とすることができる。いくつかの実施形態において、支持部分１０６は、実質的に矩形、正方形、長円形、又は楕円形を有することができる。支持部分１０６は、膀胱（例えば、膀胱脱を処置するために）、及び／又は膀胱頸部及び／又は子宮（例えば、子宮脱を処置するために）、及び／又は直腸（例えば、直腸ヘルニアを処置するために）を支持するような形状かつ大きさにすることができる。例えば、支持部分１０６は、例えば、埋込むためにインプラント１０２をサイズ変更するように１又は２以上のマーキングに沿って切断することによって取り除くことができるインプラント１０２の各部分（支持部分１０６の各部分のような）を定める１又は２以上のマーキングを含むことができる。
【００１９】
更に、支持部分１０６は、メッシュ材料を用いて形成され、埋込み後に組織がインプラント１０２に対して成長することを可能にする。例えば、一部の場合では、治癒する組織は、埋込まれたメッシュの多孔性開口部を通って成長し、それによって組織をメッシュと同化して構造的一体性を組織に追加することができる。メッシュは、天然及び／又は合成材料を含むことができるポリマー材料で作ることができる。例示的なポリマー材料は、ポリプロピレン、ポリエステル、ポリエチレン、ナイロン、ＰＶＣ、及びポリスチレンなどである。メッシュは、好ましくは、不織ポリマー材料で作られる。いくつかの実施形態において、支持部分１０６の一部又は全ては、Ｂｏｓｔｏｎ  Ｓｃｉｅｎｔｉｆｉｃ  Ｃｏｒｐｏｒａｔｉｏｎによって各々が提供される「Ａｄｖａｎｔａｇｅ（登録商標）メッシュ」又は「Ｐｏｌｙｆｏｒｍ（登録商標）合成メッシュ」材料で形成することができる。「Ｐｏｌｙｆｏｒｍ（登録商標）合成メッシュ」は、被覆なしモノフィラメントポリプロピレン繊維で編まれたマクロ多孔性メッシュである。メッシュはまた、生体材料又は死体組織から作ることができる。典型的に、メッシュは、医療的相互作用中に隣接する身体組織に対する刺激を回避／低減するように滑らかな表面を有する。これに加えて、メッシュは、人体の移動に適応するように伸縮性又は可撓性とすることができる。
【００２０】
アーム部分１０８は、支持部分１０６に結合され、かつそこから延びる。アーム部分１０８は、アーム部分１０８が患者組織の中に挿入される時にインプラント１０２の支持部分１０６を支持するように構成される。更に、支持部分１０６及びアーム部分１０８は、様々な材料から形成することができ、様々な異なる構成及び／又は異なるサイズ（例えば、長さ、幅）を有することができる。アーム部分１０８は、支持部分１０６とモノリシックに形成することができる。例えば、いくつかの実施形態において、アーム部分１０８及び支持部分１０６は、両方とも一片のメッシュ材料から形成される。
【００２１】
他の実施形態において、アーム部分１０８は、支持部分１０６とは別々に形成され、次に、支持部分１０６に結合することができる。例えば、アーム部分１０８及び支持部分１０６は、当接関係で結合されてもよいし、重なり関係で結合されてもよいし、ブリッジを用いて結合されてもよい。アーム部分１０８は、例えば、熱結合、接着剤、ファスナ使用、及び／又は縫製によって支持部分１０６に結合することができる。いくつかの実施形態において、アーム部分１０８は、その長さ又はその長さの一部分に沿ってヒートシールを含み、アーム部分１０８の延伸を防止又は低減するのを補助する。
【００２２】
いくつかの実施形態において、アーム部分１０８は、患者の身体組織内にアーム部分を係止するのを補助するように構成された突起部を含む。本明細書に使用される時の用語「突起した」又は「突起部」は、織られた又は編まれたメッシュ材料を切断することによって得られるような粗い又はギザギザの縁部又は区域を意味する。他の実施形態において、アーム部分１０８は、患者の身体組織と係合するように構成された返し部、窪み、及び／又は他の突起を含み、患者の身体内の所定位置にインプラント１０２を保持するのを補助する。他の実施形態において、他の機構を使用してアーム部分１０８を身体組織に結合することができる。
【００２３】
インプラント１０２のスリーブ１１４は、骨盤領域へのインプラント１０２の挿入中に使用され、配送手順中にアーム部分１０８が組織と早期に係合するのを防止することができる。いくつかの実施形態において、スリーブ１１４は、アーム部分１０８を越えて且つ支持部分１０６から離れるように延びる。スリーブ１１４はまた、配送中の損傷からアーム部分１０８を保護することができる。スリーブ１１４は、透明、半透明、着色、非着色、又はその組合せとすることができる。スリーブ１１４は、例えば、先細、平坦、及び／又は管状とすることができる。スリーブ１１４は、例えば、透明で薄い可撓性の生体適合性ポリマーで形成することができ、スリーブ１１４内に配置されたインプラント１０２（例えば、アーム部分１０８）を調べる又は見ることを可能にするように構成することができる。
【００２４】
スリーブ１１４は、スリーブ１１４をアーム部分１０８から切り離すことができるようにアーム部分１０８に解除可能に結合することができる。例えば、いくつかの実施形態において、以下により詳細に説明するように、スリーブ１１４は、縫合糸を介してアーム部分１０８に結合することができる。
【００２５】
拡張器１０４も、スリーブ１１４に結合することができ、骨盤領域へのインプラント１０２の配送を助けるために使用することができる。例えば、拡張器１０４は、様々な異なる長さ、形状、直径などとすることができる。いくつかの実施形態において、例えば、拡張器１０４は、徐々に先細になる長い部分を有する。いくつかの実施形態において、徐々に先細になる長い部分は、拡張器１０４が身体組織の中を通して引っ張られる時の応力を最小にする。拡張器１０４は、挿入中に組織の中を通る通路を拡張し、組織の開口部のスリーブ１１４及びインプラント１０２の断面への移行を容易にすることができる。拡張器１０４は、任意の生体適合性材料で形成することができ、任意の断面形状のものとすることができる。
【００２６】
図示の実施形態は、２つの縫合糸１１０及び１１２を示すが、いくつかの実施形態において、医療デバイス組立体は、組立体の部分を互いに結合するように構成された２よりも多い縫合糸を含む。例えば、いくつかの実施形態において、デバイスは、３、４、又はそれよりも多くの縫合糸を含む。
【００２７】
いくつかの実施形態において、縫合糸によって形成されたループは、同じ平面に配置することができる。他の実施形態において、縫合糸は、同じ平面内にないループを形成することができる。換言すると、縫合糸は、必ずしも完全に単一平面に配置されるわけではない。
【００２８】
いくつかの実施形態において、医療デバイス組立体は、複数の位置でインプラントを通して縫われる単一縫合糸を含む。例えば、いくつかの実施形態において、単一縫合糸は、２又はそれ以上の位置でインプラントを通して縫われる場合がある。そのような実施形態において、縫合糸における単一切断は、縫合糸をインプラントの様々な位置から切り離すことを可能にすることになる。
【００２９】
図２は、本発明の１つの実施形態による医療デバイス組立体２００の平面図である。医療デバイス組立体２００は、２つの前部アーム部分２３４、２つの中央アーム部分２３６、及び２つの後部アーム部分２３８を含む６つのアーム部分を更に含むインプラント２２０を含む。図２は、恥骨後方向に（恥骨の背後に）又は恥骨前方向（恥骨の前に）膣切開部（例えば、経腟的手法）を通して骨盤領域の中に配送するためのインプラント２２０を示している。他の実施形態において、インプラント２２０は、必要に応じて、他の解剖学的構造に対して置くことができる。骨盤インプラントを配備する手順は、前部膣切開及び／又は後部膣切開のような単一膣切開を含むことができる。いくつかの実施形態において、手順は、腹部切開のような外部切開を行うことを含むことができる。
【００３０】
インプラント２２０はまた、前部アーム部分２３４と中央アーム部分２３６の間の前部支持部分２４４と、インプラント２２０の端部２２５と後部アーム部分２３８の間を延びる後部支持部分２４６とを有する支持部分２２２を含む。患者の骨盤領域内の望ましい位置にインプラント２２０を位置決めするのを補助するように使用することができる中心マーキング２３９が、支持部分２２２の中心線に沿って含まれている。
【００３１】
この実施形態において、アーム部分２３４、２３６、２３８の各々の長さは、各アーム部分をその意図する組織固定部位に固定するのに十分であるが、例えば経腟的手法を使用して骨盤領域へのインプラント２２０の配送中にアーム部分が膣の外に延びるほど長くない。例えば、インプラント２２０の前部ストラップ２３４は、腱弓、骨盤内の筋膜を通して置くことができ、又は恥骨尾骨筋、恥骨直腸筋、肛門挙筋又は内閉鎖筋又は外閉鎖筋の遠位腱弓、又は骨盤領域内の閉鎖膜又は他の組織位置に近いか又はそこの組織又は靱帯を通して置くことができる。中央ストラップ２３６は、各々例えば尾骨筋、腱弓又は閉鎖筋又は膜内に置くことができる。後部ストラップ２３８は、例えば、仙棘靭帯又は尾骨筋に置くことができる。いくつかの実施形態において、アーム部分のそのような長さは、配置後にアーム部分の大部分を切り取る必要性を排除又は低減し、またインプラント２２０の配置中に膣及び／又は骨盤領域の混乱を低減することができる。
【００３２】
前部アーム部分２３４はまた、様々な異なる構成に置くことができる窪み２４０のようなテクスチャ面を含むことができる。実施形態において、前部アーム部分２３４は、前部アーム部分２３４の上面及び下面に窪み２４０を含む。窪み２４０は、前部アーム部分２３４の上面及び下面上に交互する反対方向に配置することができる。窪み２４０は、周囲組織に係合する追加の把持強度を与える。窪み２４０の数は、異なる場合があり、かつインプラント２２０の他のストラップ及び／又は支持部分２２２の一部又は全ての上に含めることができる。ストラップ２３４、２３６、２３８はまた、上述のように突起部を含むことができ、及び／又は身体組織と係合するように構成された返し部又は他の突起を含むことができる。
【００３３】
窪み２４０は、それらの基部から窪み２４０の端部まで先細にすることができる。例えば、窪み２４０は、それらの先端又は端部における直径よりもそれらの基部において大きい直径を有するドーム形とすることができる。窪み２４０は、例えば、それらの先端及び／又は基部において約０．０２ｃｍ（０．００８インチ）〜０．０４ｃｍ（０．０２インチ）の幅（例えば、直径）を有することができる。例えば、窪み２４０の幅は、その基部において約０．３６ｃｍ（０．１４インチ）とすることができ、かつ端部又は先端において約０．２２ｃｍ（０．０８７インチ）まで狭くするか又は先細にすることができる。窪み２４０は、例えば、約０．１５ｃｍ（０．０５９インチ）〜０．２３ｃｍ（０．０９１インチ）の長さ又は高さを有することができ、かつ互いに約０．６ｃｍ（０．２インチ）離間させることができる（例えば、１つの窪みの中心線から別の窪みの中心線まで）。いくつかの実施形態において、窪み２４０はまた、それらが互いに接触し、重なり、又は互いに異なる距離で離間するように位置付けることができる。他の実施形態において、窪み２４０は、先細にしない場合がある。アーム部分は、例えば、１〜１０００の窪みを含むことができる。窪み２４０は、アーム部分材料の熱スタンピングによって形成することができる。他の実施形態において、窪み２４０又は他の面テクスチャは、例えば、型打ち、押出し、成形、又はウィービングのような他の方法により生成することができる。
【００３４】
スリーブ２２６は、アーム部分２３４、２３６、２３８の各々の少なくとも一部分の上に配置されるか又はそれらを覆う。いくつかの実施形態において、スリーブ２２６は、アーム部分の少なくとも一部分を受入れる内腔又は空洞を形成する。拡張器２２８は、例えば、圧着、ヒートシール、縫い合わせ、延伸、先端ティッピングなどによってスリーブ２２６に結合することができる。これに代えて、スリーブ２２６は、先細の拡張器を形成する一部分を含むように形成することができる。拡張器２２８は、組織を通した挿入中に通路を拡張又は拡大し、スリーブ２２６の断面又はサイズへの移行を容易にするのに使用することができる。図示の実施形態において、スリーブ２２６も先細にされ、これも組織を通した導入を提供するのを補助する。
【００３５】
図３Ａに示すように、スリーブ２２６は、第１の縫合糸２４２及び第２の縫合糸２５４でアーム部分２３４に固定される。同様に、第１の縫合糸２４２及び第２の縫合糸２５４の配置を使用して、スリーブ２２６をアーム部分２３６及び２３８に固定することができる。図３Ａは、図２の医療デバイス組立体の一部分の平面図である。第１の縫合糸２４２及び第２の縫合糸２５４の各々は、アーム部分２３４、２３６、２３８の各々の中を通してループ状にされる。この実施形態において、第１の縫合糸２４２及び第２の縫合糸２５４の両方は、アーム部分２３４、２３６、２３８の中を通して縫われる。例えば、図３Ａにおいてアーム部分２３４を示すように、第１の縫合糸２４２は、位置Ａでアーム部分２３４及びインプラント２２０の中を通して縫われてループを形成し、第２の縫合糸２５４は、位置Ｂでアーム部分２３４の中を通して縫われてループを形成する。図示の実施形態において、位置Ａは、位置Ｂに対して近位に配置される。従って、位置Ｂは、アーム部分２３４の終端２３４Ａと位置Ａの間に配置される。
【００３６】
いくつかの実施形態において、第１の縫合糸２４２は、インプラントの支持部分に隣接して配置することができる位置Ａでアーム部分２３４を通して縫われるように構成される。いくつかの実施形態において、第１の縫合糸２３４は、デバイスを患者の身体内に置く時にアーム部分２３４の延伸の防止を補助する（アーム部分２３４を身体内に引く又は置く力は、インプラントの支持部分に隣接して又はそこに配置することができる位置Ａに位置付けられるので）。
【００３７】
いくつかの実施形態において、第２の縫合糸２５４は、位置Ｂでアーム部分２３４を通して縫われるように構成される。いくつかの実施形態において、第２の縫合糸２５４は、アーム部分２３４がスリーブ２２６内で塊にされるか又は折り畳まれるのを防止するのを補助する。従って、いくつかの実施形態において、第２の縫合糸２５４は、アーム部分２３４をスリーブ２２６内で平坦又は平面に維持するのを補助するように構成かつ配列される。第２の縫合糸２５４は、何回でもアーム部分２３４を通して編むか又は織ることができる。例えば、第２の縫合糸２５４は、２回、３回、又は３回よりも多くアーム部分２３４を出入りして編むことができる。これに加えて、いくつかの実施形態において、第１の縫合糸２４２を編むこと及び第２の縫合糸２５４を編むことは、十字形又は「ｘ」形状を形成することができる。
【００３８】
上述のように、第１の縫合糸２４２及び第２の縫合糸２５４の結合は、アーム部分が延伸するのを低減又は防止するのを助けることができ、かつアーム部分がスリーブ内で塊にされるか又は折り畳まれるのを防止するのを助けることもできる。第１の縫合糸２４２及び第２の縫合糸２５４は、これに代えて、例えば、圧着、ヒートシール、縫い合わせ、延伸、先端ティッピングなどによってアーム部分２３４、２３６、２３８に結合することができる。
【００３９】
更に、いくつかの実施形態において、第１の縫合糸２４２及び第２の縫合糸２５４は、例えば、結節によってアーム部分に対して縫われるか又はそれに固定することができる。第１の縫合糸２４２及び第２の縫合糸２５４のストランド（スリーブ２２６を通るループを形成する）は、拡張器２２８の内腔（図示せず）の中を通って延び、例えば、位置Ｃで拡張器２２８の内壁に圧着して閉じられ、かつ熱結合される。
【００４０】
いくつかの実施形態において、第２の縫合糸２５４は、アーム部分２３４、２３６、２３８の端部をスリーブ２２６内の定位置に維持するのを補助する。これは、拡張器１０４及びスリーブ２２６が患者の身体内へのインプラントの配送又は埋込み中に骨盤領域内の様々な組織部位を通過する時に、アーム部分２３４、２３６、２３８がスリーブ２２６と共に進行することを保証する。例えば、インプラント２２０の前部ストラップ２３４は、腱弓、骨盤内の筋膜を通して置くことができ、又は恥骨尾骨筋、恥骨直腸筋、肛門挙筋又は内閉鎖筋又は外閉鎖筋の遠位腱弓、又は骨盤領域内の閉鎖膜又は他の組織位置に近いか又はそこの組織又は靱帯を通して置くことができる。中央ストラップ２３６は、各々、例えば、尾骨筋、腱弓、又は閉鎖筋又は膜内に置くことができる。後部ストラップ２３８は、例えば、仙棘靭帯（ＳＳＬ）又は尾骨筋に置くことができる。
【００４１】
インプラント２２０が置かれた状態で、医師は、スリーブ２２６の一部分、例えば位置Ｄ又はＥにある第１の縫合糸２４２の１つのストランド、及び例えば位置Ｆ又はＧにある第２の縫合糸２５４の１つのストランドを切断し、それによって身体からのスリーブ２２６及び拡張器２２８の取出しを可能にする。次に、スリーブ２２６、並びに第１の縫合糸２４２及び第２の縫合糸２５４の各々の切られていないストランドを引くことにより、スリーブ２２６（及びスリーブ２２６に結合された拡張器２２８）をアーム部分２３４から離れるように引くことができる。第１の縫合糸２４２及び第２の縫合糸２５４の切断部分も、アーム部分２３４の中を通して引くことが自由であることになる。従って、第１の縫合糸２４２及び第２の縫合糸２５４は、スリーブ２２６に固定されたままであり、アーム部分２３４からそれら自体で簡単にほどけるか又は抜けることになる。アーム部分２３４からスリーブ２２６が取出されると、アーム部分２３４は、周囲身体組織と係合することができる。例えば、いくつかの実施形態において、アーム部分２３４上の窪み２４０は、アーム部分２３４がその中に置かれる周囲組織と係合し、アーム部分２３４を身体組織（仙棘靭帯）に結合することができる。
【００４２】
いくつかの実施形態において、第１の縫合糸２４２の１つのストランド及び第２の縫合糸２５４の１つのストランドは、スリーブ２２６を切断することなく切断することができる。例えば、いくつかの実施形態において、スリーブは、医師が縫合糸２４２及び２５４のストランドにアクセスして切断することができる窓又は開口部を有することができる。他の実施形態において、図３Ｂに示すように、縫合糸２４２Ｂ及び２５４Ｂの一部分は、スリーブ２２６Ｂによって形成された開口部２６６Ｂを通って延び、スリーブ２２６Ｂの外側（スリーブによって形成された内腔又は空洞の外側のような）の位置で医師が縫合糸２４２Ｂ及び２５４Ｂのストランドにアクセスして切断することを可能にすることができる。従って、いくつかの実施形態において、縫合糸は、同じ時に又は同時に医師によって切断することができる。いくつかの実施形態において、縫合糸をマーキングして切断すべき縫合糸の好ましい部分又は好ましい位置を識別することができる。そのような切断位置は、アームから縫合糸を取出し、及び／又はスリーブを解除するのに最適であると考えられる。いくつかの実施形態において、スリーブは、同様の理由で縫合糸を切断するのに好ましい位置である区域にマーキングすることができる。
【００４３】
いくつかの実施形態において、縫合糸２４２及び２５４を切断するのではなく、縫合糸２４２及び２５４を引裂くか又は壊すことができる。例えば、いくつかの実施形態において、縫合糸２４２及び２５４を引っ張って縫合糸２４２及び２５４を引裂くか又は壊すことができる。いくつかの実施形態において、縫合糸２４２及び２５４は、大きい引く力を縫合糸上に掛ける時に引裂かれるか又は壊れるように構成された脆弱部分を含むことができる。例えば、縫合糸２４２及び２５４は、縫合糸の残りの部分よりも薄い部分又は区画を含むことができ、又は縫合糸の２つの区画の間に焼き鈍まされた部分を含むか又は弱い結合を有することができる。
【００４４】
先導縫合糸２３０は、拡張器２２８の各々に結合され、かつそこから遠位に延びる。これに代えて、第１の縫合糸２４２及び／又は第２の縫合糸２５４の先導部分は、拡張器２２８から遠位に延びることができる。トロカール針２３２は、先導縫合糸２３０の各々の遠位端に結合される。トロカール針２３２を使用して、インプラント２２０を図４と共に以下に説明する「ＢＳＣ  Ｃａｐｉｏ（登録商標）」デバイスのような配送デバイスに連結させることができる。
【００４５】
拡張器２２８は、後端３１０における第１の直径から前端３１２における第２のより小さい直径まで先細である。第１の直径は、例えば、約０．２〜０．５ｃｍ（０．０８インチ〜０．２インチ）とすることができ、第２の直径は、例えば、約０．０３〜０．２ｃｍ（０．０１インチ〜０．０８インチ）とすることができる。例えば、いくつかの実施形態において、第１の直径は、約０．３７ｃｍ（０．１５インチ）とすることができ、対応する第２の直径は、約０．０３ｃｍ（０．０１インチ）とすることができる。拡張器２２８は、例えば、モールディング、押出し、キャスティング、焼結、鍛造、機械加工、又は他の公知の従来技術又はそのような医療デバイスを製造する後に開発される方法によって形成することができる。
【００４６】
インプラント２２０（医療デバイス組立体２００）の様々なアーム部分（例えば、２３４、２３６、２３８）の各々は、図４に示すように、例えば、縫合配送デバイス４００を使用して骨盤組織の中を通して配送することができる。アーム部分（２３４、２３６、２３８）のうちの１つのトロカール針２３２は、配送デバイス４００のキャリア４０２内に装填される。次に、配送デバイス４００を使用して、トロカール針２３２及びアーム部分（それに取りつけられたスリーブ組立体と共に）は、骨盤組織の中を通過させることができる。具体的には、配送デバイス４００のキャリア４０２が、選択された組織部位に隣接して位置決めされ、キャリア４０２が、トロカール針２３２が組織を通るように作動される。トロカール針２３２と先導縫合糸２３０の遠位端とは、組織を通過した後に配送デバイス４００のキャッチ４０４によって捕捉され又は取出される。次に、配送デバイス４００は、膣を通して取出され、トロカール針２３２は、キヤッチ４０４から取出される。スリーブ２２６及び拡張器２２８は、組織の中を通して引かれる。例えば、アーム部分が組織内に配置されるように、医師は、組織の中を通して先導縫合糸２３０又は拡張器２２８を引くことができる。次に、この手順は、インプラント２２０の他のアーム部分に対して繰返される。インプラントの各アーム部分は、選択された組織部位の中を通して引かれ、アーム部分は、身体組織に対して調節又は移動されて支持部分２２２を位置決めして張力を付与する。各アーム部分は、同じ配送デバイスを使用して順次配送することができ、又は個別の配送デバイスをアーム部分の一部又は全てに対して使用することができる。アーム部分２３４、２３６、２３８（スリーブ２２６及び拡張器２２８が依然として取りつけられている）には、膣切開部を通した正確な張力に関して支持部分２２２の位置決めを医師が観察する時に視覚的ガイダンスを使用して張力を付与することができる。
【００４７】
先導縫合糸２３０の長さ（スリーブ２２６の先細部分の遠位端から測定された）は、異なる場合がある（図３Ａを参照）。例えば、いくつかの実施形態において、先導縫合糸２３０の長さは、選択された組織係止部位を通して置かれ（膣切開部を通して骨盤領域に入った後に）、スリーブ２２６の先細部分が選択された組織係止部位と係合する必要なく（例えば、骨盤領域内の組織を通過した後に）膣切開部を通って出るのに十分に長い。例えば、先導縫合糸２３０は、ＳＳＬと膣開口部（ＶＯ）の間の長さよりも長くすることができる。
【００４８】
図５は、患者の身体内に医療デバイス組立体５０６を置く配送ツールの概略図である。図５に示すように、いくつかの実施形態において、ＳＳＬ５０２とＶＯ５０４の間の長さは、長さ約１０ｃｍである。他の実施形態において、先導縫合糸２３０の長さは、選択された組織係止部位の中を通して置かれ（膣切開部の中を通して骨盤領域に入った後に）、スリーブの先細部分が膣に入る必要なく（例えば、骨盤領域内の組織を通過した後に）膣切開部の中を通って出るのに十分に長い。例えば、先導縫合糸２３０は、ＳＳＬ５０２とＶＯ５０４の間の長さの２倍よりも長くすることができる。いくつかの実施形態において、これは、長さが約２０ｃｍである。そのような長さを有する先導縫合糸２３０は、先導縫合糸２３０が選択された係止部位の中を縫うように進み、スリーブが膣切開部に入る前に膣切開部の中を通って出ることを可能にする。従って、複数のアーム部分及び先導縫合糸を有する実施形態において、先導縫合糸は、それらのそれぞれの係止部位に置かれ、かつインプラントが身体に入る前に膣切開部を通って出ることができる。これは、先導縫合糸を身体内の複数の係止部位の中に挿入するための医師の可視性を増大することができる。
【００４９】
図６は、本発明の１つの実施形態による医療デバイス組立体６００の一部分の斜視図である。医療デバイス組立体６００は、アーム部分６０２とスリーブ組立体６０４（スリーブ及び拡張器を含む）とを含む。アーム部分６０２は、第１の縫合糸６０６及び第２の縫合糸６０８を使用してスリーブ組立体６０４に取りつけられる。スリーブ組立体６０４は、係合ノッチを有する配送デバイス、例えば、Ｂｏｓｔｏｎ  Ｓｃｉｅｎｔｉｆｉｃ  Ｃｏｒｐｏｒａｔｉｏｎによって全て製造された「Ｏｂｔｒｙｘ（登録商標）Ｃｕｒｖｅ」デバイス、「Ｏｂｔｒｙｘ（登録商標）Ｈａｌｏ」デバイス、Ｃｕｒｖｅ、又は「Ｌｙｎｘ（登録商標）」デバイスに連結させるためのループコネクタ６１０を含む。他の実施形態において、ループコネクタ６１０は、配送デバイスを通過した針に結合するように構成することができる。いくつかの実施形態において、医療デバイス組立体６００は、上述の医療デバイス組立体２００に構造的に及び機能的に類似している。いくつかの実施形態において、医療デバイス組立体６００を使用して、患者の身体の任意の部分を支持するのを助けることができる。例えば、いくつかの実施形態において、組立体６００を使用して、骨盤臓器脱を修復することができる。
【００５０】
図７は、本発明の１つの実施形態による医療デバイス組立体７００の一部分の平面図である。医療デバイス組立体７００は、インプラント２２０に類似である場合があるインプラント（図示せずと）、拡張器７０２と、スリーブ７０４及びインプラント（又はインプラントの本体部分）から延びるアーム部分７０６とを含む。第１の縫合糸７０８及び第２の縫合糸７１０は、アーム部分７０６を拡張器７０２及びスリーブ７０４に解除可能に接続する。第１の縫合糸７０８は、アーム部分を通して縫われてループを形成する。第２の縫合糸７１０も、アーム部分を通して縫われてループを形成する。
【００５１】
１又は２以上のセパレータ７１２が、第１の縫合糸７０８及び第２の縫合糸７１０の各々の２つのストランドの間のスリーブ７０４の遠位端の近くに配置される。１又は２以上のセパレータ７１２は、第１の縫合糸７０８及び第２の縫合糸７１０の各々によって形成されたループのストランドの分離を維持する。第１の縫合糸７０８及び第２の縫合糸７１０のストランドの分離は、患者の身体内へのインプラントの埋込み又は配置中に第１の縫合糸７０８及び第２の縫合糸７１０の各々の単一ストランドだけによって切断を行えるようにするか又はそれを容易にするのに役に立つ。この実施形態において、１又は２以上のセパレータ７１２は、例えば、スリーブ７０４の両面を互いに熱スタンピングすることによって形成することができる円形密封構成である。例えば、スリーブ７０４内に結合された個別の構成要素、又は熱溶接、ヘッドタック、材料又は縫合糸の縫い合わせ、又は接着剤のような他のタイプのセパレータをこれに代えて使用し、ストランド間の位置で互いにスリーブ７０４の両面を結合することができる。
【００５２】
図８は、本発明の１つの実施形態による医療デバイス組立体８００の一部分の平面図である。医療デバイス組立体８００は、インプラント２２０に類似である場合があるインプラント（図示せず）と、拡張器８０２と、スリーブ８０４と、アーム部分８０６とを含む。第１の縫合糸８０８及び第２の縫合糸８１０は、アーム部分８０６を拡張器８０２及びスリーブ８０４に解除可能に接続する。第１の縫合糸８０８は、２つのストランドを有するアーム部分８０６を通したループを形成する。第２の縫合糸８１０は、アーム部分８０６の遠位端に接続された単一ストランドを含む。第２の縫合糸８１０は、様々な公知の従来技術又は後に開発される技術を使用してアーム部分８０６に接続することができ、例えば、第２の縫合糸８１０は、縫われ、結ばれ、ヒートシールされ、接着剤でアーム部分８０６に結合することができる。
【００５３】
１又は２以上のセパレータ８１２及び８１４が、スリーブ８０４の遠位端の近くに配置される。１又は２以上のセパレータ８１２は、第１の縫合糸８０８の第１のストランドと第２の縫合糸８１０との間に配置される。同様に、１又は２以上のセパレータ８１４は、第１の縫合糸８０８の第２のストランドと第１の縫合糸８０８の第２のストランドの間に配置される。上記で図７と共に説明されているように、第１の縫合糸８０８のストランドの分離は、第１の縫合糸８０８の単一ストランドだけによって切断を行えるようにするか又はそれを容易にするのに役に立つ。次に、スリーブ８０４（及びスリーブ８０４に結合された拡張器８０２）は、スリーブ８０４及び第１の縫合糸８０８の切られていないストランドを引くことによってアーム部分８０６を引いて離すことができる。第１の縫合糸８０８の切断部分は、アーム部分８０６を通して自由に引かれることになる。従って、第１の縫合糸８０８は、スリーブ８０４に固定されたままであり、アーム部分８０６から簡単にほどけるか又は抜けることになる。これに加えて、第２の縫合糸８１０を引いてアーム部分８０６とのその結合を壊すことができる。例えば、いくつかの実施形態において、第２の縫合糸８１０は、編み模様によってアーム部分８０６に摩擦によって結合される。いくつかの実施形態において、熱溶接、接着剤、締まり嵌め、制御可能に引き裂き可能な部分、及び／又は機械的係合のような解除可能な継手を使用して第２の縫合糸８１０をアーム部分８０６に結合する場合に、医師は、予め決められた力を及ぼして第２の縫合糸８１０をアーム部分８０６から壊して離すか又は解除する必要がある場合がある。
【００５４】
図９は、本発明の１つの実施形態による医療デバイス組立体９００の一部分の平面図である。医療デバイス組立体９００は、拡張器９０２、スリーブ９０４、及びアーム部分９０６を含む。第１の縫合糸９０８及び第２の縫合糸９１０は、拡張器９０２及びスリーブ９０４に一端で結合される。第１の縫合糸９０８及び第２の縫合糸９１０の他端は、アーム部分９０６に向けて戻る。アーム部分９０６において、第１の縫合糸９０８及び／又は第２の縫合糸９１０は、図１０に示すように（これは図９の医療デバイス組立体の側面図である）、スリーブ９０４及びアーム部分９０６の中を通して縫われる。織ることは、医師が拡張器９０２及びスリーブ９０４を引く時の解除時にアーム部分９０６に抵抗を与える。第２の縫合糸９１０は、アーム部分９０６の区域内に終端する（接続又は固定されていない）。実施形態において、第１の縫合糸９０８は、ループを形成し、第１の縫合糸９０８の少なくとも一部分は、アーム部分９０６の一部分の中を通して縫われ、第２の縫合糸９１０の少なくとも一部分は、アーム部分９０６の長手方向軸線に沿って縫われる。
【００５５】
インプラントが置かれた状態で、医師は、第１の縫合糸９０８の単一ストランドを切断する。次に、スリーブ９０４（及びスリーブ９０４に結合された拡張器９０２）は、スリーブ９０４及び第１の縫合糸９０８の切られていないストランドを引くことによってアーム部分９０６を引いて離すことができる。第１の縫合糸９０８の切断部分は、アーム部分９０６を通して引かれることが自由であることになる。従って、第２の縫合糸９１０は、アーム部分９０６及びスリーブ９０４を通して縫われ、第２の縫合糸９１０も、自由に引き出されることになる。従って、第１の縫合糸９０８及び第２の縫合糸９１０は、スリーブ９０４に固定されたままであり、アーム部分９０６からそれら自体で簡単にほどけるか又は抜けることになる。
【００５６】
図１１は、１つの実施形態によるインプラント１１００の平面図である。インプラント１１００は、支持部分１１０２、第１のアーム部分１１０４、及び第２のアーム部分１１０６を含む。インプラント１１００の支持部分１１０２は、上述のインプラント２２０の支持部分２２２に機能的に類似している。第１のアーム部分１１０４及び第２のアーム部分１１０６は、上述のインプラント２２０のアーム部分２３４に機能的に類似している。第１のアーム部分１１０４及び第２のアーム部分１１０６は、第１のアーム部分１１０４及び第２のアーム部分１１０６が患者組織内に配置された時に支持部分１１０２を支持するように構成される。
【００５７】
２つのアーム部分を示すが、インプラント１１０は、任意の形状のものとすることができ、身体の様々な位置に使用することができる。これに加えて、インプラント１１００は、任意の数のアーム部分を含むことができる。例えば、いくつかの実施形態において、インプラント１１００は、単一アーム部分を含む。他の実施形態において、インプラント１１００は、２よりも多いアーム部分を含む。いくつかの実施形態において、インプラント１１００は、子宮又は膣円蓋を支持するために使用することができるちょうど２つのアーム部分を含む。
【００５８】
第１のアーム部分１１０４は、第１のスリーブ及び第１の拡張器を使用してＳＳＬの第１の部分の中に挿入される。第１の縫合糸は、第１のアーム部分１１０４に結合された第１の部分と第１の拡張器に結合された第２の部分とを有する。第２の縫合糸も、第１のアーム部分１１０４に結合された第１の部分と第１の拡張器に結合された第２の部分とを有する。上述のような配送デバイスは、第１のアーム部分１１０４をＳＳＬの中に挿入するのに役に立つように使用することができる。第１のアーム部分１１０４（依然としてスリーブによって覆われている）がＳＳＬ内に配置された状態で、第２のアーム部分１１０６は、第２のスリーブ及び第２の拡張器を使用してＳＳＬの第２の部分の中に挿入することができる。第３の縫合糸は、第２のアーム部分１１０６に結合された第１の部分と第２の拡張器に結合された第２の部分とを有する。第４の縫合糸は、第２のアーム部分１１０６に結合された第１の部分と第２の拡張器に結合された第２の部分とを有する。
【００５９】
第１及び第２のスリーブが、それぞれ、第１のアーム部分１１０４及び第２のアーム部分１１０６から取出された状態で、第１のアーム部分１１０４及び第２のアーム部分１１０６は、患者の骨盤領域において周囲組織と係合して支持部分１１０２を支持する。アーム部分の任意の余剰部分は、切断され及び／又は取除くことができる。
【００６０】
図１２は、本発明の実施形態により患者の身体内に医療デバイス組立体を置く方法１２００の流れ図である。上述のように、医療デバイス組立体は、支持部分及びアーム部分を有するインプラントと、拡張器と、インプラントのアーム部分に結合された第１の部分及び拡張器に結合された第２の部分を有する第１の縫合糸と、インプラントのアーム部分に結合された第１の部分及び拡張器に結合された第２の部分を有する第２の縫合糸とを含む。実施形態において、第１の縫合糸は、ループを形成し、第１の縫合糸の少なくとも一部分は、インプラントのアーム部分の一部分を通して縫われる。更に、第２の縫合糸の少なくとも一部分は、インプラントのアーム部分の一部分を通して縫われる。
【００６１】
段階１２０２において、医療デバイス組立体の第１の部分が患者の身体内に配置され、医療デバイス組立体の第２の部分が患者の身体外に配置されるように、医師は、患者の身体の中に医療デバイス組立体を挿入する。実施形態において、アーム部分２３４（図３Ａを参照）は、選択された組織部位を通して置かれて上述したように調節される。
【００６２】
従って、段階１２０４において、医師は、スリーブ２２６内で第１の縫合糸２４２を切断する。例えば、第１の縫合糸２４２によって形成されたループの１つのストランドが切断される。同様に、段階１２０６において、医師は、スリーブ２２６内で第２の縫合糸２５４を切断する。いくつかの実施形態において、縫合糸２４２及び２５４は、同じ時に又は同時に医師によって切断することができる。この場合も、第２の縫合糸２５４によって形成されたループの１つのストランドが切断される。アーム部分２３４は、第１及び第２の縫合糸２４２及び２５４を通じてスリーブ２２６に結合されるので、縫合糸２４２及び２５４を切断することにより、対応するアーム部分２３４に対するスリーブ２２６の自由な移動を可能にする。
【００６３】
最後に、段階１２０８において、医師は、スリーブ組立体（スリーブ２２６及び拡張器２２８を含む）及びアーム部分２３４をスリーブ組立体及び第１の縫合糸２４２及び／又は第２の縫合糸２５４の切られていないストランド引くことによって分離する。切断された第１の縫合糸２４２及び切断された第２の縫合糸２５４はまた、アーム部分２３４を通して引かれることが自由であることになる。従って、第１の縫合糸２４２及び第２の縫合糸２５４は、スリーブ組立体に固定されたままであり、アーム部分２３４からそれ自体で簡単にほどけるか又は抜けることになる。スリーブ２２６を取り除く時に、アーム部分２３４、２３６、２３８は、アーム部分２３４、２３６、２３８が置かれている周囲組織と係合する。アーム部分２３４、２３６、２３８上の突起部又は窪みも、周囲組織と係合することができる。
【００６４】
いくつかの実施形態では（図２のような形状にされたインプラント）、後部支持部分２４６は、スリーブ２２６をアーム部分２３４、２３６、２３８から取り除く前又は後に膣カフの周りに位置決めすることができる。後部膣切開を行って、後部支持部分２４６を位置決めするためのアクセスを与えることができる。例えば、医師は、後部切開により後部支持部分２４６にアクセスすることができ、手を使用することで、患者の膣と直腸の間の骨盤の後部領域において膣カフの周りに後部支持部分２４６を押し込むか又は包み込むことができる。後部支持部分２４６はまた、任意的に、骨盤領域内の組織又は靭帯に固定することができる。例えば、後部支持部分は、直腸膣中隔又は会陰体に縫合、すなわち、縫い合わせることができる。
【００６５】
更に別の実施形態において、アーム部分（２３４、２３６、２３８）を置く順序は異なる場合がある。アーム部分を配送する順序の一例では、後部アーム部分２３８は、骨盤領域の各側面に最初に配送されて、例えば、ＳＳＬ内に置かれる。次に、中央アーム部分２３６が配送され、腱弓内に置かれる。次に、前部アーム部分２３４が配送され、腱弓又は閉鎖筋（例えば、閉鎖筋又は膜）のいずれかの内部に置かれる。配送工程中の拡張器２２８の位置を使用して、拡張器２２８がどの組織（例えば、腱弓、閉鎖筋）を通過したかを明確に識別することができる。例えば、膣に対して（例えば、側部に沿って、上部の近くで、又は下部の近くで）膣前部切開部を出た拡張器の位置は、どの組織固定部位がどの拡張器に対応するかを示すのを助けることができる。例えば、膣の側部から出た拡張器は、拡張器が患者の腱弓を通して置かれたことを示すことができる。
【００６６】
アーム部分の引っ張りの順序も異なる場合がある。更に別の実施形態において、前部アーム部分２３４に最初に、次に中央アーム部分２３６に、かつ最後に後部アーム部分２３８に張力を付与することができる。前部アーム部分２３４を使用して、前部支持部分２４４を縦方向に及び横方向に位置決めすることができる。例えば、中央アーム部分２３６を使用して、後部支持部分１４８を調節して位置決めすることができる。後部アーム部分２３８は、膣支持のための「より深い」係止点及び適正な角度を提供することができる。
【００６７】
いくつかの実施形態において、医療デバイス組立体は、支持部分及びアーム部分を有するインプラントと、拡張器と、インプラントのアーム部分に結合された第１の部分及び拡張器に結合された第２の部分を有する第１の縫合糸と、インプラントのアーム部分に結合された第１の部分及び拡張器に結合された第２の部分を有する第２の縫合糸とを含む。
【００６８】
いくつかの実施形態において、組立体は、スリーブを含む。スリーブは、拡張器に結合される。スリーブは、空洞を形成する。インプラントのアーム部分の少なくとも一部分は、スリーブによって形成された空洞内に配置される。
【００６９】
いくつかの実施形態において、組立体は、スリーブを含む。スリーブは、拡張器に結合される。スリーブは、空洞を形成する。インプラントのアーム部分の少なくとも一部分は、スリーブによって形成された空洞内に配置される。第１の縫合糸の少なくとも一部分は、スリーブによって形成された空洞内に配置される。第２の縫合糸の少なくとも一部分も、スリーブの空洞内に配置される。
【００７０】
いくつかの実施形態において、組立体は、拡張器に結合された連結部材を含む。連結部材は、組立体を配送デバイスに連結させるように構成される。
【００７１】
いくつかの実施形態において、第１の縫合糸の第１の部分は、第１の位置でインプラントのアーム部分に結合され、第２の縫合糸の第１の部分は、第１の位置と異なる第２の位置でインプラントのアーム部分に結合される。
【００７２】
いくつかの実施形態において、第１の縫合糸の第１の部分は、第１の位置でインプラントのアーム部分に結合され、第２の縫合糸の第１の部分は、第１の位置と異なる第２の位置でインプラントのアーム部分に結合され、第１の位置は、第２の位置とインプラントの支持部分との間に配置される。
【００７３】
いくつかの実施形態において、第１の縫合糸は、インプラントのアーム部分の一部分を通して縫われてループを形成し、第２の縫合糸は、インプラントのアーム部分の一部分を通して縫われてループを形成する。
【００７４】
いくつかの実施形態において、第１の縫合糸は、ループを形成し、第２の縫合糸は、拡張器に結合された第１の端部と拡張器から離して配置された第２の端部とを有する。
【００７５】
いくつかの実施形態において、第１の縫合糸は、ループを形成し、第２の縫合糸は、拡張器に結合された第１の端部とインプラントのアーム部分に結合された第２の端部とを有する。
【００７６】
いくつかの実施形態において、第１の縫合糸は、ループを形成し、第１の縫合糸の少なくとも一部分は、インプラントのアーム部分の一部分を通して縫われ、第２の縫合糸の少なくとも一部分は、インプラントのアーム部分の長手方向軸線に沿って縫われる。
【００７７】
いくつかの実施形態において、インプラントのアーム部分は、第１のアーム部分であり、拡張器は、第１の拡張器であり、インプラントは、第２のアーム部分を含み、組立体は、第２の拡張器と、インプラントのアーム部分に結合された第１の部分及び拡張器に結合された第２の部分を有する第３の縫合糸と、インプラントのアーム部分に結合された第１の部分及び拡張器に結合された第２の部分を有する第４の縫合糸とを更に含む。
【００７８】
いくつかの実施形態において、医療デバイス組立体は、支持部分及びアーム部分を有するインプラントと、拡張器と、拡張器に結合されたスリーブと、インプラントのアーム部分に結合された第１の部分及び拡張器に結合された第２の部分を有する第１の縫合糸と、インプラントのアーム部分に結合された第１の部分及び拡張器に結合された第２の部分を有し、スリーブの一部分及びインプラントのアーム部分の一部分を通して縫われる第２の縫合糸とを含む。
【００７９】
いくつかの実施形態において、スリーブは、空洞を形成し、インプラントのアーム部分の少なくとも一部分は、スリーブによって形成された空洞内に配置される。
【００８０】
いくつかの実施形態において、スリーブは、空洞を形成し、インプラントのアーム部分の少なくとも一部分は、スリーブによって形成された空洞内に配置され、第１の縫合糸の少なくとも一部分も、スリーブによって形成された空洞内に配置される。
【００８１】
いくつかの実施形態において、第１の縫合糸の第１の端部分は、拡張器に結合され、第１の縫合糸の第２の端部分は、第１の縫合糸がループを形成するように拡張器に結合される。いくつかの実施形態において、第１の縫合糸は、ループを形成する。
【００８２】
いくつかの実施形態において、第１の縫合糸は、ループを形成し、第１の縫合糸の少なくとも一部分は、インプラントのアーム部分の一部分を通して縫われる。
【００８３】
いくつかの実施形態において、患者の身体内にインプラントを置く方法は、組立体の第１の部分が患者の身体内に配置され、かつ組立体の第２の部分が患者の身体外に配置されるように患者の身体の中に組立体を挿入する段階であって、組立体が、支持部分及びアーム部分を有するインプラントと、拡張器と、インプラントのアーム部分に結合された第１の部分及び拡張器に結合された第２の部分を有する第１の縫合糸と、インプラントのアーム部分に結合された第１の部分及び拡張器に結合された第２の部分を有する第２の縫合糸とを含む上記挿入する段階と、第１の縫合糸を切断する段階と、第２の縫合糸を切断する段階と、インプラントから拡張器をインプラントの少なくとも一部分が患者の身体内に残るように分離する段階とを含む。
【００８４】
いくつかの実施形態において、第１の縫合糸は、ループを形成し、第１の縫合糸の少なくとも一部分は、インプラントのアーム部分の一部分を通して縫われる。
【００８５】
いくつかの実施形態において、第１の縫合糸は、ループを形成し、第１の縫合糸の少なくとも一部分は、インプラントのアーム部分の一部分を通して縫われ、第２の縫合糸の少なくとも一部分も、インプラントのアーム部分の一部分を通して縫われる。
【００８６】
様々な実施形態を上述したが、それらは単に例示的に提示されたものであり、限定ではないことを理解しなければならない。上述の方法が、ある一定の順序で起こるある一定の事象を示す場合に、ある一定の事象の順序は修正することができる。これに加えて、事象のある一定のものは、可能な時には並行工程で同時に行うことができ、並びに上述のように順番に行うこともできる。
【図１】
0006405375.tif 000002
【図２】
0006405375.tif 000003
【図３Ａ】
0006405375.tif 000004
【図３Ｂ】
0006405375.tif 000005
【図４】
0006405375.tif 000006
【図５】
0006405375.tif 000007
【図６】
0006405375.tif 000008
【図７】
0006405375.tif 000009
【図８】
0006405375.tif 000010
【図９】
0006405375.tif 000011
【図１０】
0006405375.tif 000012
【図１１】
0006405375.tif 000013
【図１２】
0006405375.tif 000014